(57)【要約】      （修正有）【課題】モルタル又はコンクリート等のスラリーを搬送する搬送管の詰まりを、簡易かつ確実に除去することができるスラリー用搬送管の詰まり除去用具を提供する。【解決手段】モルタル又はコンクリート等のスラリーを搬送する搬送管１００の詰まりを、洗浄機４０の高圧洗浄液により除去する、スラリー用搬送管１００の詰まり除去用具２００であって、管状本体２１０を有し、搬送管１００の管端に備えられている接続部１１１に着脱され得る第１の接続手段２１１を管状本体２１０の一端に設けられるとともに、洗浄機４０における高圧洗浄液の吐出口に備えられている接続部４４に着脱され得る第２の接続手段２１２を管状本体２１０の他端に設けられてなるもの。【選択図】図５
0003188873.tif 000002
【実用新案登録請求の範囲】
【請求項１】
モルタル又はコンクリート等のスラリーを搬送する搬送管の詰まりを、洗浄機の高圧洗浄液により除去する、スラリー用搬送管の詰まり除去用具であって、
管状本体を有し、
搬送管の管端に備えられている接続部に着脱され得る第１の接続手段を管状本体の一端に設けられるとともに、
洗浄機における高圧洗浄液の吐出口に備えられている接続部に着脱され得る第２の接続手段を管状本体の他端に設けられてなるスラリー用搬送管の詰まり除去用具。
【請求項２】
前記搬送管の管端に備えられる接続部がレバーカップリングの雄アダプターからなるとき、前記第１の接続手段がレバーカップリングの雌カプラである請求項１に記載のスラリー用搬送管の詰まり除去用具。
【請求項３】
前記搬送管の管端に備えられる接続部がレバーカップリングの雌カプラからなるとき、前記第１の接続手段がレバーカップリングの雄アダプターである請求項１に記載のスラリー用搬送管の詰まり除去用具。
【請求項４】
前記搬送管の管端に備えられる接続部が該管端の外周に設けられる環状溝であり、この搬送管の管端に突き合わされて接続される相手部品の外周にも環状溝が設けられ、
一対をなす各半割体からなるジョイントの各半割体が上記搬送管の管端と相手部品との突き合せ部の外周に被着されて互いに締結され、各半割体がそれらの両側部の内周に備える係止部のそれぞれを上記搬送管の管端の外周に設けた環状溝と相手部品の外周に設けた環状溝のそれぞれに係合してなるものであるとき、
前記第１の接続手段が搬送管の管端に突き合わされる管状本体の一端の外周に設けられる環状溝である請求項１に記載のスラリー用搬送管の詰まり除去用具。
【請求項５】
前記洗浄機の吐出口に備えられる接続部がカプラジョイントを用いて構成され、
カプラジョイントが管状の雄カプラの一側の差込管と、管状の雌カプラの一側に設けた差込口とを、差込管の周囲に設けた係合溝と差込口周壁に内設したスピンボールとの係脱により着脱自在に連結するものであるとき、
前記洗浄機の吐出口に備えられる接続部がカプラジョイントの雄カプラと雌カプラの一方であり、前記第２の接続手段がカプラジョイントの雄カプラと雌カプラの他方である請求項１に記載のスラリー用搬送管の詰まり除去用具。
【請求項６】
請求項１〜５の何れかに記載のスラリー用搬送管の詰まり除去用具を用いて、モルタル又はコンクリート等のスラリーを搬送する搬送管の詰まりを、洗浄機の高圧洗浄液により除去可能にする、モルタル又はコンクリート等のスラリーの搬送装置。
【考案の詳細な説明】
【技術分野】
【０００１】
本考案は、モルタル、コンクリート又はセメントスラリー等のスラリーを搬送する搬送管の詰まりを、洗浄機の高圧洗浄液により除去する、スラリー用搬送管の詰まり除去用具に関する。
【背景技術】
【０００２】
従来、特許文献１に記載のモルタル又はコンクリート吹付け装置や、特許文献２に記載のコンクリートポンプ車がある。
【０００３】
モルタル又はコンクリート吹付け装置は、セメントと砂と水をミキサーにより混練させたモルタル又はセメントと砂と砂利と水をミキサーにより混練させたコンクリートが供給されるホッパを備えた圧送ポンプと、圧送ポンプによって加圧されたモルタル又はコンクリートを搬送する搬送管と、搬送管によって搬送されたモルタル又はコンクリートをそれらの吹付カ所へ吹付けるスプレーガンとを有している。
【０００４】
コンクリートポンプ車は、ミキサー車のドラムに貯留されたコンクリートが供給されるホッパを備えたコンクリートポンプと、車両に旋回可能に設けられた基台に連結されて伸縮可能にされるブームと、ブームの長手方向に沿って支持され、コンクリートポンプによって加圧されたコンクリートを建設現場のコンクリート打設箇所へ搬送する搬送管とを有している。
【先行技術文献】
【特許文献】
【０００５】
【特許文献１】特開2012-127149
【特許文献２】特開2002-206343
【考案の概要】
【考案が解決しようとする課題】
【０００６】
特許文献１、２に記載のモルタル又はコンクリート吹付け装置や、特許文献２に記載のコンクリートポンプ車では、それらの作業中に、モルタル又はコンクリートが何らかの事情（セメント等の練り不足、搬送経路が長い、搬送経路が鉛直方向に延在等）で搬送管の内部に詰まることがある。
【０００７】
搬送管の内部へのモルタル又はコンクリートの詰まりの復旧には多大な詰まり除去作業時間が必要とされるとともに、搬送管の中身や、ミキサーで混練中の材料が硬化したり、品質劣化する等によって使い物にならなくなる等、経済的損失も大きくなる。
【０００８】
本考案の課題は、モルタル又はコンクリート等のスラリーを搬送する搬送管の詰まりを、簡易かつ確実に除去することにある。
【課題を解決するための手段】
【０００９】
請求項１に係る考案は、モルタル又はコンクリート等のスラリーを搬送する搬送管の詰まりを、洗浄機の高圧洗浄液により除去する、スラリー用搬送管の詰まり除去用具であって、管状本体を有し、搬送管の管端に備えられている接続部に着脱され得る第１の接続手段を管状本体の一端に設けられるとともに、洗浄機における高圧洗浄液の吐出口に備えられている接続部に着脱され得る第２の接続手段を管状本体の他端に設けられてなるようにしたものである。
【００１０】
請求項２に係る考案は、請求項１に係る考案において更に、前記搬送管の管端に備えられる接続部がレバーカップリングの雄アダプターからなるとき、前記第１の接続手段がレバーカップリングの雌カプラであるようにしたものである。
【００１１】
請求項３に係る考案は、請求項１に係る考案において更に、前記搬送管の管端に備えられる接続部がレバーカップリングの雌カプラからなるとき、前記第１の接続手段がレバーカップリングの雄アダプターであるようにしたものである。
【００１２】
請求項４に係る考案は、請求項１に係る考案において更に、前記搬送管の管端に備えられる接続部が該管端の外周に設けられる環状溝であり、この搬送管の管端に突き合わされて接続される相手部品の外周にも環状溝が設けられ、一対をなす各半割体からなるジョイントの各半割体が上記搬送管の管端と相手部品との突き合せ部の外周に被着されて互いに締結され、各半割体がそれらの両側部の内周に備える係止部のそれぞれを上記搬送管の管端の外周に設けた環状溝と相手部品の外周に設けた環状溝のそれぞれに係合してなるものであるとき、前記第１の接続手段が搬送管の管端に突き合わされる管状本体の一端の外周に設けられる環状溝であるようにしたものである。
【００１３】
請求項５に係る考案は、請求項１に係る考案において更に、前記洗浄機の吐出口に備えられる接続部がカプラジョイントを用いて構成され、カプラジョイントが管状の雄カプラの一側の差込管と、管状の雌カプラの一側に設けた差込口とを、差込管の周囲に設けた係合溝と差込口周壁に内設したスピンボールとの係脱により着脱自在に連結するものであるとき、前記洗浄機の吐出口に備えられる接続部がカプラジョイントの雄カプラと雌カプラの一方であり、前記第２の接続手段がカプラジョイントの雄カプラと雌カプラの他方であるようにしたものである。
【００１４】
請求項６に係る考案は、請求項１〜５の何れかに記載のスラリー用搬送管の詰まり除去用具を用いて、モルタル又はコンクリート等のスラリーを搬送する搬送管の詰まりを、洗浄機の高圧洗浄液により除去可能にする、モルタル又はコンクリート等のスラリーの搬送装置である。
【考案の効果】
【００１５】
（請求項１〜６）
(a)詰まり除去用具の第１の接続手段が搬送管の管端の接続部に取着されて接続されるとともに、詰まり除去用具の第２の接続手段に洗浄機の吐出口の接続部が取着されて接続される。従って、洗浄機から吐出される高圧洗浄液は、詰まり除去用具を介して、外部に何ら全く漏出することなく、搬送管の内部に噴射され、搬送管の内部の詰まりを吹飛ばし除去するものになる。
【００１６】
搬送管の内部の詰まりを短時間で復旧するものになり、モルタル又はコンクリート吹付け装置に付帯するミキサーやコンクリートポンプ車に付帯するミキサー車で混練中の材料の硬化、品質劣化を回避できる。
【図面の簡単な説明】
【００１７】
【図１】図１はモルタル又はコンクリート吹付け装置を示す模式図である。
【図２】図２はコンクリートポンプ車を示す模式図である。
【図３】図３は洗浄機を示す模式図である。
【図４】図４は搬送管を示す模式図である。
【図５】図５は詰まり除去用具を示す模式図である。
【図６】図６は詰まり除去用具の第１の接続手段と搬送管の接続部との接続状態を示す模式図である。
【図７】図７は詰まり除去用具の第２の接続手段と洗浄機の接続部との接続状態を示す模式図である。
【図８】図８は搬送管の他の例を示す模式図である。
【図９】図９は詰まり除去用具を示す模式図である。
【図１０】図１０は詰まり除去用具の第１の接続手段と搬送管の接続部との接続状態を示す模式図である。
【考案を実施するための形態】
【００１８】
図１は本発明が適用される一例としてのモルタル又はコンクリート吹付装置１０を示すものである。モルタル又はコンクリート吹付装置１０は、セメントと砂と水をミキサー１１により混練させたモルタル、又はセメントと砂と砂利と水をミキサー１１により混練させたコンクリートを、圧送ポンプ１２（吐出圧：例えば3.5MPa）が備えるホッパ１３に供給する。ホッパ１３に供給されたモルタル又はコンクリートは、圧送ポンプ１２によって加圧され、圧送ポンプ１２に接続されている１本又は直列接続された複数本の搬送管１４によって搬送された後、スプレーガン１５から吹付カ所へ吹付けられる。
【００１９】
図２は本発明が適用される他の例としてのコンクリートポンプ車２０を示すものである。コンクリートポンプ車２０は、ミキサー車３０を付帯し、ミキサー車３０のドラム３１に貯留されたコンクリートが供給されるホッパ２２をコンクリートポンプ２１に備える。コンクリートポンプ車２０は、車両に旋回可能に設けられた基台２３に連結されて伸縮可能にされるブーム２４と、ブーム２４の長手方向に沿って直列接続され、ブーム２４に支持される搬送管２５を有する。コンクリートポンプ２１によって加圧されたコンクリートが、コンクリートポンプ２１に接続されている搬送管２５により建設現場のコンクリート打設箇所へ搬送される。
【００２０】
しかるに、モルタル又はコンクリート吹付装置１０、コンクリートポンプ車２０等のスラリー（モルタル、コンクリート、セメントスラリー等のスラリー）の搬送装置では、前述した如くの何らかの事情で、それらの搬送管１４、２５の内部に、モルタル又はコンクリート等の詰まりを生ずることがある。以下、このようなスラリーの搬送装置を構成する搬送管１４、２５の一例としての搬送管１００（長さ：例えば10ｍ）の構造、及び詰まり除去用具２００の構造について説明する。
【００２１】
尚、搬送管１００の内部に生じた詰まりを除去するときには、詰まり除去用具２００とともに、図３に示した洗浄機４０が使用される。洗浄機４０は、ポンプ４１（吐出圧：例えば15〜20MPaに接続された高圧ホース４２に洗浄ガン４３を連結し、この洗浄ガン４３の吐出口に備えた接続部４４にランス４５を着脱可能に取付けている。ポンプ４１が圧送する水等の高圧洗浄液を、洗浄ガン４３の引金操作によって、ランス４５から噴射するものである。
【００２２】
（搬送管１００の構造）（図４）
搬送管１００（搬送管１４、２５）は、図４に示す如く、長尺の高圧ホース１１０を有し、高圧ホース１１０の一方の管端（一端）に備える接続部１１１としてレバーカップリング１２０の雄アダプター１２１を用い、高圧ホース１１０の他方の管端（他端）に備える接続部１１２としてレバーカップリング１２０の雌カプラ１２２を用いる。
【００２３】
レバーカップリング１２０は、雄アダプター１２１と雌カプラ１２２からなり、直列接続される搬送管１００、１００の一方の高圧ホース１１０の一端に備えてある雄アダプター１２１を、他方の高圧ホース１１０の他端に備えてある雌カプラ１２２の孔に嵌合する。このとき、雌カプラ１２２のレバー１２２Ｌは図４に２点鎖線で示す如くの開き操作位置に設定され、レバー１２２Ｌの先端係合部１２２Ａをハウジング１２２Ｈの壁面内に没入させている。次に、雌カプラ１２２のレバー１２２Ｌを図４に実線で示す如くの閉じ操作位置に設定し、レバー１２２Ｌの先端係合部１２２Ａを雄アダプター１２１の外周の環状係合溝１２１Ａに締結することにて、相隣る搬送管１００、１００同士を固定的に直列接続するものになる。
【００２４】
レバーカップリング１２０は、搬送管１００を圧送ポンプ１２、コンクリートポンプ２１等の相手部品に接続する場合にも用いられる。搬送管１００の高圧ホース１１０の管端の接続部１１１（又は接続部１１２）に備えた雄アダプター１２１（又は雌カプラ１２２）と、相手部品の接続部に備えた雌カプラ１２２（又は雄アダプター１２１）とを締結することにより、それらの搬送管１００と相手部品とを固定的に接続するものになる。
【００２５】
（詰まり除去用具２００の構造）（図５〜図７）
詰まり除去用具２００は、搬送管１００の一端の接続部１１１（レバーカップリング１２０の雄アダプター１２１）に接続して用いられる詰まり除去用具２０１と、搬送管１００の他端の接続部１１２（レバーカップリング１２０の雌カプラ１２２）に接続して用いられる詰まり除去用具２０２の２種類からなる。搬送管１００の一端（接続部１１１）寄りの詰まり除去には詰まり除去用具２０１を用い、搬送管１００の他端（接続部１１２）寄りの詰まり除去には詰まり除去用具２０２を用いるのが良い。
【００２６】
（詰まり除去用具２０１）
詰まり除去用具２０１は、管状本体２１０を有し、搬送管１００の一端の接続部１１１（レバーカップリング１２０の雄アダプター１２１）に着脱され得る第１の接続手段２１１を管状本体２１０の一端に設けられる。第１の接続手段２１１としてレバーカップリング１２０の雌カプラ１２２が適用されるものになる。
【００２７】
更に、詰まり除去用具２０１は、洗浄機４０における高圧洗浄液の吐出口である、洗浄ガン４３の吐出口に備えた接続部４４に着脱され得る第２の接続手段２１２が、管状本体２１０の他端に設けられる。
【００２８】
ここで、洗浄機４０における洗浄ガン４３の吐出口に備えられる接続部４４としては、例えば実開昭61-177292号に記載のカプラジョイント２２０を用いることができる。カプラジョイント２２０は、図７に示す如く、管状の雄カプラ２２１の一側の差込管２２１Ａと、管状の雌カプラ２２２の一側に設けた差込口２２２Ａとを、差込管２２１Ａの周囲に設けた係合溝２２１Ｂと差込口２２２Ａの周壁に内設したスピンボール２２２Ｂとの係脱により着脱自在に連結する。洗浄機４０における洗浄ガン４３の吐出口に備える接続部４４がカプラジョイント２２０の例えば雌カプラ２２２からなるとき、詰まり除去用具２０１（詰まり除去用具２０２においても同じ）の第２の接続手段２１２としてカプラジョイント２２０の雄カプラ２２１が適用されるものになる。
【００２９】
（詰まり除去用具２０２）
詰まり除去用具２０２が詰まり除去用具２０１と異なる点は、管状本体２１０の一端に設けられる第１の接続手段２１１が搬送管１００の他端の接続部１１２（レバーカップリング１２０の雌カプラ１２２）に着脱され得るものであるから、第１の接続手段２１１としてレバーカップリング１２０の雄アダプター１２１が適用されることのみにある。
【００３０】
従って、搬送管１００の内部に生じた詰まりは以下の手順で除去される。
(1)詰まりを生じたと思われる搬送管１００を接続相手（他の搬送管１００、又は圧送ポンプ１２、コンクリートポンプ２１等の相手部品）から取外す。
【００３１】
(2)搬送管１００の一端（接続部１１１）寄りの詰まりには、詰まり除去用具２０１を用いる。
【００３２】
i.  搬送管１００の高圧ホース１１０の一端に備えてあるレバーカップリング１２０の雄アダプター１２１を、詰まり除去用具２０１における管状本体２１０の一端に設けてある第１の接続手段２１１（レバーカップリング１２０の雌カプラ１２２）の孔に隙間なく密に嵌合し、雌カプラ１２２のレバー１２２Ｌを用いて、レバー１２２Ｌの先端係合部１２２Ａを雄アダプター１２１の外周の管状係合溝１２１Ａに締結し、詰まり除去用具２０１を搬送管１００に対して液密に、強固に連結する（図６）。
【００３３】
ii.  洗浄機４０における洗浄ガン４３の吐出口に備えた接続部４４を構成しているカプラジョイント２２０の雌カプラ２２２に設けた差込口２２２Ａに、詰まり除去用具２０１における管状本体２１０の他端に設けてある第２の接続手段２１２（カプラジョイント２２０の雄カプラ２２１）の差込管２２１Ａを差込み、差込管２２１Ａの周囲に設けた係合溝２２１Ｂと差込口２２０Ａの周壁に内設したスピンボール２２２Ｂとを締結し、詰まり除去用具２０１を洗浄機４０の洗浄ガン４３に対して液密に、強固に連結する（図７）。
【００３４】
iii.  洗浄機４０を作動することにより、ポンプ４１によって圧送される高圧洗浄液が洗浄ガン４３から、詰まり除去用具２０１を介して外部に漏出することなく、搬送管１００の内部にスムースに噴射され、搬送管１００の内部の詰まりを搬送管１００の他端側から外部へと吹飛ばし除去する。
【００３５】
(3)搬送管１００の他端（接続部１１２）寄りの詰まりには、詰まり除去用具２０２を用いる。
【００３６】
上述(2)のi.に代え、搬送管１００の高圧ホース１１０の他端に備えてあるレバーカップリング１２０の雌カプラー１２２の孔に、詰まり除去用具２０２における管状本体２１０の一端に設けてある第１の接続手段２１１（レバーカップリング１２０の雄アダプター１２１）を隙間なく密に嵌合し、雌カプラ１２２のレバー１２２Ｌを用いて、レバー１２２Ｌの先端係合部１２２Ａを雄アダプター１２１の外周の管状係合溝１２１Ａに締結し、詰まり除去用具２０２を搬送管１００に対して液密に、強固に連結する。
【００３７】
その後、上述(2)のii.、iii.を行ない、搬送管１００の内部の詰まりを搬送管１００の他端側から外部へと吹飛ばし除去する。
【００３８】
従って、上記本実施例によれば、詰まり除去用具２００（詰まり除去用具２０１、詰まり除去用具２０２）を用いたモルタル又はコンクリート吹付装置１０、コンクリートポンプ車２０等のスラリーの搬送装置において、以下の作用効果を奏する。
【００３９】
詰まり除去用具２００（詰まり除去用具２０１、詰まり除去用具２０２）の第１の接続手段２１１が搬送管１００の管端の接続部１１１、１１２に取着されて接続されるとともに、詰まり除去用具２００の第２の接続手段２１２に洗浄機４０の吐出口の接続部４４が取着されて接続される。従って、洗浄機４０から吐出される高圧洗浄液は、詰まり除去用具２００を介して、外部に何ら全く漏出することなく、搬送管１００の内部に噴射から、搬送管１００の内部の詰まりを吹飛ばし除去するものになる。
【００４０】
搬送管１００の内部の詰まりを短時間で復旧するものになり、モルタル又はコンクリート吹付装置１０に付帯するミキサー１１やコンクリートポンプ車２０に付帯するミキサー車３０で混練中の材料の硬化、品質劣化を回避できる。
【００４１】
（搬送管１００の変形例）
搬送管１００は、図８に示す如く、長尺の高圧パイプ１３０を有し、高圧パイプ１３０の一方の管端（一端）に備える接続部１３１として該管端の外周に環状溝１４１を形成し、高圧パイプ１３０の他方の管端（他端）に備える接続部１３２として該管端の外周に上記環状溝１４１と同一形状の環状溝１４２を形成している。
【００４２】
尚、搬送管１００が接続されるポンプ１２、コンクリートポンプ２１等の相手部品の接続部にも、上記環状溝１４１、１４２と同一形状の環状溝が設けられる。
【００４３】
このとき、上下一対をなすＣ字リング状の各半割体１５１、１５２からなるジョイント１５０が用いられる。ジョイント１５０の各半割体１５１、１５２が、上記搬送管１００の一端（又は他端）と、接続相手（他の搬送管１００の管端、又はポンプ１２、コンクリートポンプ２１等の相手部品）との突き合せ部の外周にゴムリング等の円環状シールリング１５３を介して被着される。そして、半割体１５１は上記搬送管１００の直径方向に沿う両側に張出し部１５１Ａ、１５１Ａを備え、半割体１５２も上記搬送管１００の直径方向に沿う両側に張出し部１５２Ａ、１５２Ａを備える。両半割体１５１、１５２は、相対する張出部１５１Ａ、１５２Ａ同士をセットボルト１５４で互いに取着し、それらの半割体１５１、１５２により上記搬送管１００と相手部品との突き合せ部の外周にシールリング１５３を挟着しつつ締結する。ジョイント１５０は、両半割体１５１、１５２の上記搬送管１００と相手部品との突き合せ部の外周への被着、締結状態下で、各半割体１５１、１５２がそれらの幅方向（上記搬送管１００の軸方向）の両側部の内周に備える環状係止部１５１Ｂ、１５２Ｂのそれぞれを上記搬送管１００の管端の外周に設けた環状溝１４１と、他の搬送管１００等の相手部品の外周に設けた環状溝１４２等のそれぞれに係合する。
【００４４】
尚、ジョイント１５０は、各半割体１５１、１５２のＣ字リングの一側に設けた張出部１５１Ａ、１５２Ａ同士を１つのセットピンによって枢支し、搬送管１００と接続相手との突き合せ部の外周にシールリング１５３を介して被着された両半割体１５１、１５２のＣ字リングの他側に設けた張出部１５１Ａ、１５２Ａ同士を１つのセットボルト１５４により締結するものでも良い（不図示）。これにより、搬送管１００と他の搬送管１００等の相手部品とが固定的に接続されるものになる。
【００４５】
（詰まり除去用具２００の変形例）
図９、図１０に示した詰まり除去用具２００は、図８に示した搬送管１００に用いられる詰まり除去用具２０３である。
【００４６】
詰まり除去用具２０３が前述した詰まり除去用具２０１、２０２と異なる点は、管状本体２１０の一端に設けられる第１の接続手段２１１が搬送管１００の管端の接続部１３１（環状溝１４１）又は接続部１３２（環状溝１４２）にジョイント１５０を用いて着脱され得るものであるから、上記搬送管１００の管端に突き合わされる管状本体２１０の一端の外周に環状溝１４３を設け、この環状溝１４３を第１の接続手段２１１としたことのみにある。
【００４７】
従って、搬送管１００の内部に生じた詰まりは以下の手順で除去される。
(1)詰まりを生じたと思われる搬送管１００を接続相手（他の搬送管１００又はポンプ１２、コンクリートポンプ２１等の相手部品）から取外す。
【００４８】
(2)詰まり除去用具２０３を用いる。
i.  搬送管１００の高圧パイプ１３０の管端を詰まり除去用具２０３の管状本体２１０の一端に突き合わせ、それらの突き合せ部の外周にジョイント１５０の各半割体１５１、１５２を被着する。ジョイント１５０の各半割体１５１、１５２は、上記突き合せ部の外周にシールリング１５３を介して被着されるとともに、それらの両側部の内周に備えた環状係止部１５１Ｂ、１５２Ｂのそれぞれを、高圧パイプ１３０の管端に備えた接続部１３１の環状溝１４１（又は接続部１３２の環状溝１４２）と、詰まり除去用具２０３の管状本体２１０における一端に備えた環状溝１４３に係合する。そして、ジョイント１５０の両半割体１５１、１５２を、上記搬送管１００の高圧パイプ１３０の管端と詰まり除去用具２０３の管状本体２１０の一端との突き合せ部の外周に、セットボルト１５４を用いて締結し、詰まり除去用具２０３を搬送管１００に対して液密に、強固に連結する（図１０）。
【００４９】
ii.  洗浄機４０における洗浄ガン４３の吐出口に備えた接続部４４を構成しているカプラジョイント２２０の雌カプラ２２２に設けた差込口２２２Ａに、詰まり除去用具２０３における管状本体２１０の他端に設けてある第２の接続手段２１２（カプラジョイント２２０の雄カプラ２２１）の差込管２２１Ａを差込み、差込管２２１Ａの周囲に設けた係合溝２２１Ｂと差込口２２０Ａの周壁に内設したスピンボール２２２Ｂとを締結し、詰まり除去用具２０３を洗浄機４０の洗浄ガン４３に対して液密に、強固に連結する（図７）。
【００５０】
iii.  洗浄機４０を作動することにより、ポンプ４１によって圧送される高圧洗浄液が洗浄ガン４３から、詰まり除去用具２０３を介して外部に漏出することなく、搬送管１００の内部にスムースに噴射され、搬送管１００の内部の詰まりを搬送管１００の他端側から外部へと吹飛ばし除去する。
【００５１】
従って、詰まり除去用具２００（詰まり除去用具２０３）により、詰まり除去用具２０１、２０２を用いたモルタル又はコンクリート吹付装置１０、コンクリートポンプ車２０等のスラリーの搬送装置におけると同様の作用効果を奏する。
【００５２】
以上、本考案の実施例を図面により詳述したが、本考案の具体的な構成はこの実施例に限られるものではなく、本考案の要旨を逸脱しない範囲の設計の変更等があっても本考案に含まれる。例えば、詰まり除去用具の第１の接続手段２１１は、レバーカップリング１２０（雄アダプター１２１、雌カプラ１２２）、又はジョイント１５０（半割体１５１、１５２、環状溝１４３）を用いるものに限らない。また、詰まり除去用具の第２の接続手段２１２は、カプラジョイント２２０（雄カプラ２２１、雌カプラ２２２）を用いるものに限らない。
【００５３】
また、詰まり除去用具が適用される搬送管は、ホッパ１３、２２等からポンプ１２、２１等にモルタル又はコンクリート等を搬送する搬送管であっても良い。
【産業上の利用可能性】
【００５４】
本考案は、モルタル又はコンクリート等のスラリーを搬送する搬送管の詰まりを、洗浄機の高圧洗浄液により除去する、スラリー用搬送管の詰まり除去用具であって、管状本体を有し、搬送管の管端に備えられている接続部に着脱され得る第１の接続手段を管状本体の一端に設けられるとともに、洗浄機における高圧洗浄液の吐出口に備えられている接続部に着脱され得る第２の接続手段を管状本体の他端に設けられてなるものにした。これにより、モルタル又はコンクリート等のスラリーの搬送装置において、搬送管の内部に生じたモルタル又はコンクリート等の詰まりを、洗浄機の高圧洗浄液により簡易かつ確実に除去することができる。
【符号の説明】
【００５５】
１０  モルタル又はコンクリート吹付装置
１４  搬送管
２０  コンクリートポンプ車
２５  搬送管
４０  洗浄機
４３  洗浄ガン
４４  接続部
１００  搬送管
１１１、１１２  接続部
１２０  レバーカップリング
１２１  雄アダプター
１２２  雌カプラ
１３１、１３２  接続部
１４１、１４２、１４３  環状溝
１５０  ジョイント
１５１、１５２  半割体
１５１Ｂ、１５２Ｂ  環状係止部
２００、２０１、２０２、２０３  詰まり除去用具
２１１  第１の接続手段
２１２  第２の接続手段
２２０  カプラジョイント
２２１  雄カプラ
２２１Ａ  差込管
２２１Ｂ  係合溝
２２２  雌カプラ
２２２Ａ  差込口
２２２Ｂ  スピンボール
【図１】
0003188873.tif 000003
【図２】
0003188873.tif 000004
【図３】
0003188873.tif 000005
【図４】
0003188873.tif 000006
【図５】
0003188873.tif 000007
【図６】
0003188873.tif 000008
【図７】
0003188873.tif 000009
【図８】
0003188873.tif 000010
【図９】
0003188873.tif 000011
【図１０】
0003188873.tif 000012